(57)【要約】      （修正有）【課題】ダミーパターンを具えたタッチパネル構造を提供する。【解決手段】ダミーパターンを具えたタッチパネル構造は、基板１０、複数の第１透明導電領域２０、複数の第１ダミーパターン２２、絶縁層３０、複数の第２透明導電領域４０、複数の第２ダミーパターン４２及び光学コート層５０を包含する。これら第１透明導電領域２０及びこれら第１ダミーパターン２２は該基板上に位置し並びに該絶縁層に被覆され、これら第２透明導電領域４０及びこれら第２ダミーパターン４２は該絶縁層上に位置し並びに該光学コート層に被覆され、且つこれら第１及び第２透明導電領域２０，４０はそれぞれ第１及び第２方向に配置され、第１及び第２ダミーパターン２２，４２はそれぞれに対応する第２及び第１透明導電領域２０，４０にアラインされ、これにより、基板１０より投射された光線は、人の目ではその光線の色の差異性が判別できないので、全体のタッチパネルの外観上の視覚効果を改善する。【選択図】図４
0003189018.tif 000002
【実用新案登録請求の範囲】
【請求項１】
ダミーパターンを具えたタッチパネル構造において、
透光性を具えた基板と、
遮蔽層であって、不透光の材料で構成され、該基板下方の表示装置より発射された光線を遮蔽し、且つ該遮蔽層は遮蔽パターンを具えて該基板を部分的に露出させる、上記遮蔽層と、
複数の第１透明導電領域であって、透明導電材料で形成され、並びに該基板の部分表面上に位置し、且つこれら第１透明導電領域は第１方向上に配置され、各該第１透明導電領域は複数の矩形、方形或いは菱形が対角が相互に接続されて形成る、上記複数の第１透明導電領域と、
複数の第１ダミーパターンであって、該透明導電材料で形成され、並びに該基板の他の部分の表面上に位置し、且つ個別の該第１ダミーパターンの間は相互に接続されない、上記複数の第１ダミーパターンと、
絶縁層であって、透光性と電気絶縁性を有し、該遮蔽層、これら第１透明導電領域、これら第１ダミーパターン及び該遮蔽層、これら第１透明導電領域、及びこれら第１ダミーパターンに占拠されていない該基板の表面を被覆する、上記絶縁層と、
複数の第２透明導電領域であって、該透明導電材料で形成され、並びに該絶縁層の部分表面上に位置し、且つこれら第２透明導電領域は該第１方向とは異なる第２方向上に配置され、各第２透明導電領域は複数の矩形、方形或いは菱形が対角が相互に接続されて形成され、各第２透明導電領域は対応する第１ダミーパターンに垂直にアラインする、上記複数の第２透明導電領域と、
光学コート層であって、透光性と電気絶縁性を有し、並びにこれら第２透明導電領域及びこれら第２透明導電領域に占拠されていない該絶縁層の表面を被覆する、上記光学コート層と、
を包含することを特徴とする、ダミーパターンを具えたタッチパネル構造。
【請求項２】
請求項１記載のダミーパターンを具えたタッチパネル構造において、該第１方向及び該第２方向の間に挟まれてある角度が形成され、該角度は３０度から９０度の間であることを特徴とする、ダミーパターンを具えたタッチパネル構造。
【請求項３】
請求項１記載のダミーパターンを具えたタッチパネル構造において、複数の第２ダミーパターンをさらに包含し、これら第２ダミーパターンは透明導電材料で形成され、並びに該絶縁層の他の部分表面上に形成され、且つ該光学コート層により被覆され、各該第２ダミーパターンは対応する該第１透明導電領域に垂直にアラインすることを特徴とする、ダミーパターンを具えたタッチパネル構造。
【請求項４】
請求項１記載のダミーパターンを具えたタッチパネル構造において、各該第１ダミーパターンはそれぞれ複数の第１ダミーパターンユニットを包含し、且つこれら第１ダミーパターンユニットは、矩形、方形、菱形、三角形、多角形及び不規則形のいずれかの形状を有することを特徴とする、ダミーパターンを具えたタッチパネル構造。
【請求項５】
請求項１記載のダミーパターンを具えたタッチパネル構造において、各該第１ダミーパターンは菱形の第１ダミー菱形格子を有し、且つ該第１ダミー菱形格子は該第２透明導電領域より大きくないことを特徴とする、ダミーパターンを具えたタッチパネル構造。
【請求項６】
請求項３記載のダミーパターンを具えたタッチパネル構造において、各該第２ダミーパターンは複数の第２ダミーパターンユニットを包含し、これら第２ダミーパターンユニットは、矩形、方形、菱形、三角形、多角形及び不規則形のいずれかの形状を有することを特徴とする、ダミーパターンを具えたタッチパネル構造。
【請求項７】
請求項３記載のダミーパターンを具えたタッチパネル構造において、各該第２ダミーパターンは菱形の第２ダミー菱形格子を有し、且つ該第２ダミー菱形格子は該第１透明導電領域より大きくないことを特徴とする、ダミーパターンを具えたタッチパネル構造。
【請求項８】
請求項１記載のダミーパターンを具えたタッチパネル構造において、該透明導電材料はインジウム錫酸化物或いはアルミニウム亜鉛酸化物を包含することを特徴とする、ダミーパターンを具えたタッチパネル構造。
【考案の詳細な説明】
【技術分野】
【０００１】
本考案は一種のタッチパネルに係り、特に、色の差異性を低減するダミーパターンを具えた構造に関する。
【背景技術】
【０００２】
タッチパネルは表示機能と便利な操作性を有するため、近年、ハンドヘルド或いは固定式電子装置、たとえば携帯電話、フラットパネルコンピュータ、ＡＴＭ、自動販売機、電子ナビゲーション装置、商品紹介展示機などに広く応用されている。特に、静電容量式タッチパネルは、マルチポイントタッチコントロール機能を有するため、次第に早期の抵抗式タッチパネルに取って代わっている。
【０００３】
一般に伝統的な静電容量式タッチパネルは、２片の透明導電ガラスで１層の光学ゲルを挟み並びに表示装置上に設置して形成される。これにより、使用者はその表面に表示される画像或いは図面をタッチすることでタッチコントロール操作を達成できる。このほか、導電ガラス及び導電薄膜の間に、光学ゲルを利用することでコンデンサ作用を実現し、タッチコントロール位置を検出する目的を達成する。
【先行技術文献】
【特許文献】
【０００４】
【特許文献１】台湾実用新案第Ｍ３５９７５２号明細書
【考案の概要】
【考案が解決しようとする課題】
【０００５】
しかし、上述の周知の技術の欠点は、同一層構造中でエッチング処理を利用してコンデンサ特性を実現するのに必要な特定パターン、たとえば菱形格子パターンを形成すると、外観上の色の差異性を発生し、画像品質に影響を与え得ることである。ゆえに、一般にはたとえば特許文献１のように、ダミーパターン（Ｄｕｍｍｙ ｐａｔｔｅｒｎ）を使用し、光学差異性を低減している。しかし、徹底的にはこの問題を解決できていない。これにより、特別な設計のダミーパターンを有するタッチパネル構造により、周知の技術の問題を解決することが必要である。
【課題を解決するための手段】
【０００６】
本考案は、ダミーパターンを具えたタッチパネル構造を提供し、それは、ある実施例において、基板、複数の第１透明導電領域、複数の第１ダミーパターン、絶縁層、複数の第２透明導電領域及び光学コート層を包含する。これら第１透明導電領域及びこれら第１ダミーパターンは該基板上に位置し並びに該絶縁層に被覆され、これら第２透明導電領域は該絶縁層上に位置し並びに該光学コート層に被覆され、該第１ダミーパターンはそれぞれに対応する第２透明導電領域にアラインされ、且つこれら第１ダミーパターンは相互に接続されない。
【０００７】
これら第１透明導電領域は第１方向上に配置され、これら第２透明導電領域は第２方向上に配置され、たとえば、該第１方向は縦向き方向とされ得て、第２方向は第１方向と垂直な横向き方向とされ得る。
【０００８】
これにより、該基板の底から上向きに投射される光線、たとえば表示装置より発射される画像は、それぞれ第１透明導電領域及び第１ダミーパターン及び対応する第２透明導電領域をとおり、その光線の色の差異性が低減され、第１及び第２透明導電領域のパターンを判別できなくなり、全体のタッチパネルの外観上の視覚効果を改善できる。
【０００９】
本考案は、ダミーパターンを具えたタッチパネル構造を提供し、それは別の実施例において、さらに複数の第２ダミーパターンを包含し、そのうち、これら第２透明導電領域及びこれら第２ダミーパターンは該絶縁層上に位置し、並びに該光学コート層により被覆され、且つこれら第１及び第２透明導電領域はそれぞれ第１及び第２方向上に配置され、該第１及び第２ダミーパターンはそれぞれに対応する第２及び第１透明導電領域にアラインされる。
【００１０】
これにより、該基板の底から上向きに投射される光線は、それぞれ第１透明導電領域及び対応する第２ダミーパターンを通過した後に、第１ダミーパターン及び対応する第２透明導電領域を通過することで、光線の色の差異性が低減され、第１及び第２透明導電領域のパターンを判別できなくなり、全体のタッチパネルの外観上の視覚効果を改善できる。
【００１１】
上述の第１及び第２ダミーパターンは、それぞれ、複数の均一に配置された第１及び第２ダミーパターンユニットを包含し得て、且つ各第１及び第２ダミーパターンユニットは方形、矩形或いは菱形の形状を有し得る。このほか、第１及び第２ダミーパターンも単一方形、矩形或いは菱形の形状とされ得る。
【考案の効果】
【００１２】
これにより、本考案のダミーパターンを具えたタッチパネル構造の特徴は、基板の底から上向きに投射される画像光線が、第１ダミーパターン及びそれにアラインする第２透明導電領域を経由することで、視覚上、表示される画像品質の第２透明導電領域による影響を低減でき、これにより全体の画像品質を向上できることにある。
【００１３】
本考案の別の特徴は、第１透明導電領域及び第２透明導電領域にアラインする第１ダミーパターンと第２ダミーパターンにより、視覚上、第１透明導電領域と第２透明導電領域の存在を判別できなくなり、これにより表示される画像の品質を改善できることにある。
【図面の簡単な説明】
【００１４】
【図１】本考案のダミーパターンを具えたタッチパネル構造の表示図である。
【図２】本考案中の第１透明導電領域と第１ダミーパターンの表示図である。
【図３】本考案中の第１ダミーパターンの拡大表示図である。
【図４】本考案の別の実施例のタッチパネル構造の表示図である。
【図５】本考案のまた別の実施例のタッチパネル構造の表示図である。
【考案を実施するための形態】
【００１５】
本考案の技術内容、構造特徴、達成する目的を詳細に説明するため、以下に実施例を挙げ並びに図面を組み合わせて説明する。
【００１６】
図１を参照されたい。図１は本考案のダミーパターンを具えたタッチパネル構造の表示図である。そのうち、ダミーパターンを具えたタッチパネル構造は、基板１０、遮蔽層１２、複数の第１透明導電領域２０、複数の第１ダミーパターン２２、絶縁層３０、複数の第２透明導電領域４０、及び光学コート層５０を包含し、視覚上、第１透明導電領域と第２透明導電領域の識別性を低減し、基板の底から上向きに投射される画像光線が受ける第１透明導電領域と第２透明導電領域の影響を低減し、表示される画像品質を改善する。
【００１７】
基板１０は透光性を有する。
【００１８】
遮蔽層１２は不透光の材料、たとえば黒色材料で形成され、基板１０下方の表示装置（図示せず）の発射した光線を遮蔽するのに用いられ、且つ遮蔽層１２は遮蔽パターンを有し、一部の基板１０を露出させる。
【００１９】
第１透明導電領域２０及び第１ダミーパターン２２は透明導電材料で形成され、たとえば、インジウム錫酸化物（ＩＴＯ）或いはアルミニウム亜鉛酸化物（ＡＺＯ）で形成され、且つこれら第１透明導電領域２０は基板１０の部分表面上に形成され、これら第１ダミーパターン２２は基板１０の他の部分表面上に形成される。これら第１透明導電領域２０は第１方向に配置され、たとえば縦向き方向に配置され、且つ各第１透明導電領域２０は複数の矩形、方形或いは菱形が対角が相互に接続されて形成され、たとえば、第２図に示される方形とされる実施例のようであり、図２は本考案中の第１透明導電領域と第１ダミーパターンの表示図であり、個別の第１ダミーパターン２２の間は相互に接続されていない。
【００２０】
各第１透明導電領域２０は複数の矩形、方形或いは菱形で構成され、且つこれら矩形、方形或いは菱形は対角が接続される方式で相互に接続される。各第１ダミーパターン２２は複数の第１ダミーパターンユニット２２ａを包含し、且つこれら第１ダミーパターンユニット２２ａは矩形、方形、菱形、三角形、多角形及び不規則形のいずれかの形状とされ得る。図３は本考案の第１ダミーパターンの拡大表示図であり、且つ図３は方形の実施例とされている。
【００２１】
絶縁層３０は透光性と電気絶縁性を具え、且つ遮蔽層１２、これら第１透明導電領域２０、これら第１ダミーパターン２２、及び、遮蔽層１２、これら第１透明導電領域２０及びこれら第１ダミーパターン２２により占拠されていない基板１０の表面を被覆する。
【００２２】
これら第２透明導電領域４０は、第１透明導電領域２０を構成する同じ材料で構成される。これら第２透明導電領域４０は、該絶縁層の部分表面上に位置し、且つ該第１方向とは異なる第２方向上に配置され、たとえば、横方向に配置される。各第２透明導電領域４０は複数の矩形、方形或いは菱形が対角で相互に接続されてなり、上述の第１透明導電領域２０と同様であり、且つ各第２透明導電領域４０は対応する第１ダミーパターン２２に垂直にアラインされている。
【００２３】
注意すべきこととして、上述の第１方向と第２方向とが相互にある角度を形成し、該角度は３０度から９０度である。
【００２４】
光学コート層５０は、透光性と電気絶縁性を有し、並びにこれら第２透明導電領域４０及びこれら第２透明導電領域４０に占拠されていない絶縁層３０の表面を被覆する。
【００２５】
本考案のタッチパネル構造は、さらに複数の第２ダミーパターン４２を包含する。図４は本考案の別の実施例のタッチパネル構造の表示図である。そのうち、第２ダミーパターン４２は、第２透明導電領域４０を構成する透明導電材料と同じ材料で構成され、且つこれら第２ダミーパターン４２は絶縁層３０の他の部分表面上に位置し、且つ光学コート層５０に被覆される。各第２ダミーパターン４２は複数の第２ダミーパターンユニット４２ａを包含し、且つこれら第２ダミーパターンユニット４２ａは、第１ダミーパターン２２ａと同様に、矩形、方形、菱形、三角形、多角形及び不規則形のいずれかの形状とされる。
【００２６】
図５は本考案のまた別の実施例のタッチパネル構造の表示図である。そのうち、各第１ダミーパターン２２は菱形の単一第１ダミー菱形格子２４を具え、且つ第１ダミー菱形格子２４は第２透明導電領域４０より大きくない。また、各第２ダミーパターン４２は菱形の単一の第２ダミー菱形格子４４を具え、且つ第２ダミー菱形格子４４は第１透明導電領域２０より大きくない。
【００２７】
以上述べたことは、本考案の実施例にすぎず、本考案の実施の範囲を限定するものではなく、本考案の特許請求の範囲に基づきなし得る同等の変化と修飾は、いずれも本考案の権利のカバーする範囲内に属するものとする。
【符号の説明】
【００２８】
１０ 基板
１２ 遮蔽層
２０ 第１透明導電領域
２２ 第１ダミーパターン
２２ａ 第１ダミーパターンユニット
２４ 第１ダミー菱形格子
３０ 絶縁層
４０ 第２透明導電領域
４２ 第２ダミーパターン
４２ａ 第２ダミーパターンユニット
４４ 第２ダミー菱形格子
５０ 光学コート層
【図１】
0003189018.tif 000003
【図２】
0003189018.tif 000004
【図３】
0003189018.tif 000005
【図４】
0003189018.tif 000006
【図５】
0003189018.tif 000007